【手続補正書】
【提出日】平成18年6月23日(2006.6.23)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】  原画像データに対して少なくとも直交変換及び量子化処理を施すことによって、該原画像データを符号化する符号化手段と、
前記符号化手段によって生成された符号化後の画像データに対して少なくとも逆量子化処理及び逆直交変換を施すことによって、符号化前の画像データを復元する復号化手段と、
前記原画像データと前記復号化手段から出力された復元画像データとのタイミングを調整するために少なくとも前記原画像データを遅延させる遅延手段と、
前記遅延手段によってタイミングが調整された前記原画像データと前記復元画像データとを各画像が同一画面上に並べて表示されるように合成する合成手段と、
前記合成手段によって合成された画像データを表示部に供給する供給手段と、
を備えることを特徴とする画像処理装置。
【請求項２】  前記符号化手段は、動き補償予測による符号化方式によって前記原画像データの符号化を行い、
前記復号化手段は、前記符号化手段が備える復号機能によって前記符号化前の画像データを復元することを特徴とする請求項１に記載の画像処理装置。
【請求項３】  前記復号化手段は動き補償予測による符号化を行うために必要な画像データを生成するものであって、前記復元画像データはローカルデコード画像であることを特徴とする請求項１又は２に記載の画像処理装置。
【請求項４】  前記符号化手段によって行われる量子化処理における量子化ステップを可変設定するモードと、固定設定するモードとを選択可能な選択手段を更に備えることを特徴とする請求項１乃至３のいずれか１項に記載の画像処理装置。
【請求項５】  被写体を撮像して前記原画像データを発生する撮像手段と、
前記撮像手段で発生した原画像データを前記符号化手段及び前記復号化手段を動作させて画像処理した前記符号化後の画像データを記録媒体に記録する記録手段と、
を更に備えることを特徴とする請求項１乃至４のいずれか１項に記載の画像処理装置。
【手続補正３】
【補正対象書類名】明細書
【補正対象項目名】０００１
【補正方法】変更
【補正の内容】
【０００１】
【発明の属する技術分野】
本発明は、例えば、画像の記録及び再生機能を有し、特に、ビューファインダ等の表示部にて画像表示を行なう機能を有する装置やシステムに用いられる画像処理装置に関するものである。
【手続補正４】
【補正対象書類名】明細書
【補正対象項目名】０００５
【補正方法】変更
【補正の内容】
【０００５】
そこで、本発明は、上記の欠点を除去するために成されたもので、ユーザが所望する状態の画像を確実に且つ容易に記録することができる画像処理装置を提供することを目的とする。
【手続補正５】
【補正対象書類名】明細書
【補正対象項目名】０００８
【補正方法】変更
【補正の内容】
【０００８】
すなわち、第１の発明は、原画像データに対して少なくとも直交変換及び量子化処理を施すことによって、該原画像データを符号化する符号化手段と、前記符号化手段によって生成された符号化後の画像データに対して少なくとも逆量子化処理及び逆直交変換を施すことによって、符号化前の画像データを復元する復号化手段と、前記原画像データと前記復号化手段から出力された復元画像データとのタイミングを調整するために少なくとも前記原画像データを遅延させる遅延手段と、前記遅延手段によってタイミングが調整された前記原画像データと前記復元画像データとを各画像が同一画面上に並べて表示されるように合成する合成手段と、前記合成手段によって合成された画像データを表示部に供給する供給手段と、を備えることを特徴とする。
【手続補正６】
【補正対象書類名】明細書
【補正対象項目名】０００９
【補正方法】変更
【補正の内容】
【０００９】
第２の発明は、上記第１の発明において、前記符号化手段は、動き補償予測による符号化方式によって前記原画像データの符号化を行い、前記復号化手段は、前記符号化手段が備える復号機能によって前記符号化前の画像データを復元することを特徴とする。
【手続補正７】
【補正対象書類名】明細書
【補正対象項目名】００１０
【補正方法】変更
【補正の内容】
【００１０】
第３の発明は、上記第１又は第２の発明において、前記復号化手段は動き補償予測による符号化を行うために必要な画像データを生成するものであって、前記復元画像データはローカルデコード画像であることを特徴とする。
【手続補正８】
【補正対象書類名】明細書
【補正対象項目名】００１１
【補正方法】変更
【補正の内容】
【００１１】
第４の発明は、上記第１乃至第３の発明のいずれかにおいて、前記符号化手段によって行われる量子化処理における量子化ステップを可変設定するモードと、固定設定するモードとを選択可能な選択手段を更に備えることを特徴とする。
【手続補正９】
【補正対象書類名】明細書
【補正対象項目名】００１２
【補正方法】変更
【補正の内容】
【００１２】
第５の発明は、上記第１乃至第４の発明のいずれかにおいて、被写体を撮像して前記原画像データを発生する撮像手段と、前記撮像手段で発生した原画像データを前記符号化手段及び前記復号化手段を動作させて画像処理した前記符号化後の画像データを記録媒体に記録する記録手段と、を更に備えることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００９４
【補正方法】変更
【補正の内容】
【００９４】
【発明の効果】
以上説明したように、本発明では、原画像と、原画像を符号化した後に復元した画像とを、並べて表示するように構成したので、原画像の符号化前後の画質比較を行うことができる。